(57)【要約】【課題】簡単な構成により、ハウジングに例えば社名などのマークを選択的にしかも明瞭に表示することが出来る写真処理装置のハウジングにおけるマークの表示構造を提供する。【解決手段】機器類を搭載するハウジングが、光の透過率の低い合成樹脂材料から形成されて、ハウジング内への外部光の侵入が阻止されている写真処理装置のハウジングにおけるマークの表示構造において、ハウジングの内面には、所定のマークの形に窪ませて光が透過可能な厚さのマーク表示部が形成され、ハウジング内には、前記マーク表示部に対向してＬＥＤが配設されるとともに、このＬＥＤからの光がハウジング内に漏れるのを阻止するためのケーシングが設けられ、またハウジングの内面におけるマーク表示部の輪郭部分を更に窪ませて、前記輪郭部分の光の透過率を高めている。【選択図】  図５
2004279511.tif 000002
【特許請求の範囲】
【請求項１】
機器類を搭載するハウジングが、光の透過率の低い合成樹脂材料から形成されて、前記ハウジング内への外部光の侵入が阻止されている写真処理装置のハウジングにおけるマークの表示構造であって、
前記ハウジングの内面には、所定のマークの形に窪ませて光が透過可能な厚さのマーク表示部が形成されるとともに、前記ハウジング内には、前記マーク表示部に対向して照明手段が配設され、前記照明手段を介して前記ハウジングの外部から前記マーク表示部で表わされるマークを視認可能としていることを特徴とする写真処理装置のハウジングにおけるマークの表示構造。
【請求項２】
照明手段には、照明手段からの光がハウジング内に漏れるのを阻止するための覆い部が備えられていることを特徴とする請求項１に記載の写真処理装置のハウジングにおけるマークの表示構造。
【請求項３】
ハウジングの内面におけるマーク表示部の輪郭部分を更に窪ませて、前記輪郭部分の光の透過率を高めていることを特徴とする請求項１または２に記載の写真処理装置のハウジングにおけるマークの表示構造。
【請求項４】
ハウジングの内面におけるマーク表示部の輪郭部分の外周りが厚肉に形成されている請求項１、２または３に記載の写真処理装置のハウジングにおけるマークの表示構造。
【請求項５】
照明手段がＬＥＤから構成されていることを特徴とする請求項１、２、３または４に記載の写真処理装置のハウジングにおけるマークの表示構造。
【発明の詳細な説明】
【０００１】
【発明の属する技術分野】
本発明は、写真処理装置のハウジングに表示する商標や社名などのマークの表示構造に関する。
【０００２】
【従来の技術】
一般にこの種の写真処理装置は、印画紙に画像の焼付処理を行う焼付処理機と、焼付けの終了した印画紙に対して現像処理を行う現像処理機とが備えられ、現像済みフィルムの画像などを焼付装置で印画紙に焼き付けた後、この印画紙を現像処理装置で現像して、プリントを仕上げるようにしている。
【０００３】
そして以上の写真処理装置にあっては、光に反応する印画紙などの感光材料を扱うことから、焼付処理機や現像処理機のハウジングは、光の透過率が低い例えばアクリロニトリルブタジエンスチレン（ＡＢＳ）などの合成樹脂材料から形成され、外部の光がハウジング内に不用意に侵入するのを阻止している。
【０００４】
ところで、以上の写真処理装置のハウジングの外面には、メーカー名や機種名あるいは商標などが表示されるものであるが、以上の写真処理装置を自社ブランドによる販売の他にＯＥＭ生産をも行なっている場合には、自社の社名などの表示に加えて、ＯＥＭ先の社名などの表示も行なう必要がある。
【０００５】
そのため、写真処理装置のハウジングとして自社用とＯＥＭ用の両者を兼用する場合には、ハウジングの外面に例えば自社のマークなどを直接刻設することが出来ない。
【０００６】
そこで従来では、社名などのマークを印刷したシール部材を別途形成して、そのシール部材をハウジングの外面に貼り付けているのが現状である。
【０００７】
【発明が解決しようとする課題】
しかしながら以上の方法では、自社とＯＥＭ先の両者のシール部材をそれぞれ別途用意しなければならず、それだけコスト高になるのは勿論のこと、シールを貼る手間をも要する。
【０００８】
また前述のようにシール部材をハウジングに貼る方法では、マークとハウジングとの一体感が出難く、デザイン的にも問題がある。
【０００９】
本願発明は以上の実情に鑑みて開発したものであって、目的とするところは簡単な構成により、ハウジングに例えば社名などのマークを選択的にしかも明瞭に表示することが出来る写真処理装置のハウジングにおけるマークの表示構造を提供するにある。
【００１０】
【課題を解決するための手段】
前記した目的を達成するために、請求項１に記載の発明は、機器類を搭載するハウジングが、光の透過率の低い合成樹脂材料から形成されて、ハウジング内への外部光の侵入が阻止されている写真処理装置のハウジングにおけるマークの表示構造であって、前記ハウジングの内面には、所定のマークの形に窪ませて光が透過可能な厚さのマーク表示部が形成されるとともに、前記ハウジング内には、前記マーク表示部に対向して照明手段が配設され、前記照明手段を介して前記ハウジングの外部から前記マーク表示部で表わされるマークを視認可能としていることを特徴とするものである。
【００１１】
請求項２に記載の発明は、請求項１に記載の照明手段に、照明手段からの光がハウジング内に漏れるのを阻止するための覆い部が設けられていることを特徴とするものである。
【００１２】
請求項３に記載の発明は、請求項１または２に記載の写真処理装置のハウジングにおけるマークの表示構造において、ハウジングの内面におけるマーク表示部の輪郭部分を更に窪ませて、前記輪郭部分の光の透過率を高めていることを特徴とするものである。
【００１３】
請求項４に記載の発明は、請求項１、２または３に記載の写真処理装置のハウジングにおけるマークの表示構造において、ハウジングの内面におけるマーク表示部の輪郭部分の外周りが厚肉に形成されていることを特徴とするものである。
【００１４】
請求項５に記載の発明は、請求項１、２、３または４に記載の写真処理装置のハウジングにおけるマークの表示構造において、照明手段がＬＥＤから構成されていることを特徴とするものである。
【００１５】
【発明の実施の形態】
図１及び図２は、本発明を適用する写真処理装置を概略的に示したものであって、この写真処理装置１は、基本的には、図１、図２に示すように、現像済みフィルムの画像を読み取る読み取り装置２を搭載して、印画紙Ｐに画像の焼付処理を行うための焼付処理機３と、焼付けの終了した印画紙Ｐに対して現像処理を行うための現像処理機４とが備えられている。
【００１６】
焼付処理機２に搭載される読み取り装置２は、ハロゲンランプから成る光源を収納したランプハウジング２１と、現像済フィルムをセットするフィルムマスク２２と、ＣＣＤ（Ｃｈａｒｇｅ  Ｃｏｕｐｌｅｄ  Ｄｅｖｉｃｅ  ）から成るスキャナー２３とが備えられている。
【００１７】
焼付処理機３は、ハウジング３０上にセットされるベーパーマガジン３１と、ハウジング３０内に搭載されて、ペーパーマガジン３１から引き出されたロール状の印画紙Ｐを搬送するための搬送機構３２と、同じくハウジング３０内に搭載されて、搬送機構３２により搬送される印画紙Ｐに対して読み取り装置２で読み取られた画像を焼き付けるための露光装置３３とが備えられ、読み取り装置２により読み取ったデジタル画像データを制御装置（図示せず）で処理した上で、そのデジタル画像データに基づいて画像を露光装置３３にて印画紙Ｐに露光するようにしている。
【００１８】
現像処理機４は、ハウジング４０内に、露光装置３３で露光済の印画紙Ｐを搬送するための搬送機構４１と、この搬送機構４１により搬送される印画紙Ｐを現像処理するための処理液槽４２と、処理液槽４２で現像処理された印画紙Ｐを乾燥するための乾燥処理機構４３とが搭載されている。
【００１９】
処理液槽３１には、現像液・漂白定着液・安定化液等の各種処理液が個別に充填されている。
【００２０】
以上の写真処理装置において、焼付処理機３のハウジング３０及び現像処理機４のハウジング４０は、光の透過率の低いアクリロニトリルブタジエンスチレン（ＡＢＳ）樹脂材料によりハウジング３０・４０内への外部光の侵入が阻止される厚さＴ１（実施形態では、３ｍｍの厚さ）に形成されているのであって、図に示す実施形態では、焼付処理機３のハウジング３０に本発明を適用している。
【００２１】
具体的には、ハウジング３０の前面上部に「Ｐ」の文字からなるマークが表示されるようにすべく、ハウジング３０の内面には、図４に示すように、「Ｐ」の文字を反転させたいわゆる鏡文字の形に窪ませて、光が透過可能な厚さＴ２のマーク表示部５を形成するのであって、実施形態では、このマーク表示部５の厚さＴ２を１ｍｍに設定している。
【００２２】
また実施形態では、ハウジング３０の内面側において、マーク表示部５の輪郭部分を更に横断面矩形に窪ませて、この横断面矩形に窪む輪郭部分５０の光の透過率をその他のマーク表示部５の光の透過率よりも更に高めているのであって、図に示す実施形態では、この輪郭部分５０の厚さＴ３を約０．５ｍｍに設定している。
【００２３】
またハウジング３０内には、マーク表示部５を密閉状に覆うケーシング６を組み付けると共に、このケーシング６内に照明手段としてのＬＥＤ７を取り付けて、このＬＥＤ７の発光部をマーク表示部５に対向して配置し、このＬＥＤ７の点灯に伴い、ハウジング３０の外部からマーク表示部５で表わされる「Ｐ」のマークを視認出来るようにしている。
【００２４】
尚、図中１０は、各構成機器２・３の稼働状態や設定状態等を表示するためのモニターを示す。
【００２５】
斯くして以上のマークの表示構造を備えた写真処理装置では、ＬＥＤ７の点灯に伴い、その光がマーク表示部５を透過して、ハウジング３０の外部からマーク表示部５で表わされる「Ｐ」のマークが視認出来るのであり、この時、マーク表示部５の輪郭部分５０での光の透過率が高くなるので、「Ｐ」のマークの輪郭部分が他の部分よりも明瞭に光って、ハウジング３０外部からのマークの視認性が良好となるのである。
【００２６】
またＬＥＤ７はケーシング６で囲まれて、その光がハウジング３０内に漏れることがないので、写真処理装置１での感光材料の処理に悪影響を及ぼすこともないのである。
【００２７】
尚、以上の写真処理装置１をＯＥＭ生産するに際しては、ＯＥＭ先のマーク  が印刷されたシール材をハウジング３０の外面に貼り付ければよい。
【００２８】
以上の実施形態では、ハウジング３０の内面側において、マーク表示部５の輪郭部分５０を更に横断面矩形に窪ませて、この横断面矩形に窪む輪郭部分５０の光の透過率を更に高めるようにしたが、これに限定されるものではなく、例えばマーク表示部５の輪郭部分５０をライン状に窪ませずに、図６、図７に示すように、ハウジング３０の内面に、マーク表示部５の輪郭の周囲を全周にわたって横断面矩形状に突出する凸条５１を形成するか、若しくは、例えばマーク表示部５の輪郭部分５０をライン状に窪ませるとともに、ハウジング３０の内面に、マーク表示部５の輪郭部分の周囲を全周にわたって横断面矩形状に突出する凸条を形成してもよく、これにより、ＬＥＤ７の点灯時、マーク表示部５で表わされる「Ｐ」のマークにおける輪郭部分の境界の明暗が明瞭となって、ハウジング３０外部からのマークの視認性が良好となるのである。
【００２９】
また以上の実施形態では、ハウジング３０をアクリロニトリルブタジエンスチレン（ＡＢＳ）樹脂材料から形成したが、これに限定されるものではなく、例えばポリオキシメチレン（ＰＯＭ）樹脂材料から形成してもよい。
【００３０】
また以上の実施形態では  マークとして「Ｐ」の文字を表示したが、これに限定されるものではなく、記号や図形などのマークであってもよい。
【００３１】
また照明手段として、指向性があり且つ消費電力の小さいＬＥＤを用いたが、これに限定されるものではなく、例えば蛍光ランプなどを用いてもよい。
【００３２】
また本発明にかかる表示構造を焼付処理機のハウジング３０に適用したが、これに限定されるものではなく、例えば現像処理機４のハウジング４０に適用してもよい。
【００３３】
【発明の効果】
以上説明したように、請求項１に記載の発明によれば、機器類を搭載するハウジングが、光の透過率の低い合成樹脂材料から形成されて、ハウジング内への外部光の侵入が阻止されている写真処理装置のハウジングにおいて、このハウジングの内面に、所定のマークの形に窪ませて光が透過可能な厚さのマーク表示部を形成するとともに、ハウジング内に、マーク表示部に対向して照明手段を配設して、照明手段を介してハウジングの外部からマーク表示部で表わされるマークを視認可能としたことにより、従来のようにマークが印刷されたシール部材を別途用意しなくても、ハウジングの外面に例えば社名などのマークを明瞭にしかも浮かび上がるように表示することが出来る。
【００３４】
また請求項２に記載の発明によれば、請求項１に記載の照明手段に、照明手段からの光がハウジング内に漏れるのを阻止するための覆い部を設けたことにより、請求項１に記載の発明の効果に加え、ハウジング内での照明手段の光による悪影響を確実に回避することが出来る。
【００３５】
また請求項３に記載の発明によれば、請求項１または２に記載の写真処理装置のハウジングにおけるマークの表示構造において、ハウジングの内面におけるマーク表示部の輪郭部分を更に窪ませて、前記輪郭部分の光の透過率を高めたことにより、請求項１または２に記載の発明の効果に加え、照明手段の点灯に伴い、マークの輪郭部分が他の部分よりも明瞭に光って、ハウジング外部からのマークの視認性が高まる。
【００３６】
請求項４に記載の発明によれば、請求項１、２または３に記載の写真処理装置のハウジングにおけるマークの表示構造において、ハウジングの内面におけるマーク表示部の輪郭部分の外周りを厚肉に形成したことにより、請求項１、２または３に記載の発明の効果に加え、照明手段の点灯に伴い、マークにおける輪郭部分の境界の明暗が明瞭となって、ハウジング外部からのマークの視認性がより一層良好となる。
【００３７】
請求項５に記載の発明によれば、、請求項１、２、３または４に記載の写真処理装置のハウジングにおけるマークの表示構造において、照明手段をＬＥＤから構成したことにより、請求項１、２、３または４に記載の発明の効果に加え、消費電力の抑制を図りながら、しかも外部からマークをより一層明瞭に視認することが出来るに至ったのである。
【図面の簡単な説明】
【図１】本発明にかかる表示構造が適用される写真処理装置の概略斜視図。
【図２】同、写真処理装置の構成図。
【図３】ハウジングの表面の要部を拡大して示す正面図。
【図４】ハウジングの内面の要部を拡大して示す背面図。
【図５】同、要部の拡大断面図。
【図６】別の実施形態のハウジングの内面の要部を拡大して示す背面図。
【図７】同、要部の拡大断面図。
【符号の説明】
１      写真処理装置
３      焼付処理機
３０    ハウジング
４      現像処理機
４０    ハウジング
５      マーク表示部
５０    輪郭部分
６      ケーシング
７      ＬＥＤ（照明手段）
【図１】
2004279511.tif 000003
【図２】
2004279511.tif 000004
【図３】
2004279511.tif 000005
【図４】
2004279511.tif 000006
【図５】
2004279511.tif 000007
【図６】
2004279511.tif 000008
【図７】
2004279511.tif 000009